(57)【要約】【課題】  画像をプリントされたシート状の記録媒体を非接触状態で加熱処理するヒータと、前記ヒータによって加熱中の前記記録媒体の温度をモニタするために前記記録媒体に隣接配置された温度モニタ手段とを備えた記録媒体処理装置において、記録媒体の温度を正確にモニタでき、記録媒体に対してより適切な熱処理を施すことの可能な記録媒体処理装置を提供する。【解決手段】  温度モニタ手段Ｇ１が、感熱素子１７ａと、感熱素子を所定位置に支持する支持部材１６とを備え、支持部材１６は、感熱素子１７ａが取り付けられた板状の受熱部１６ａと、支持部材１６を記録媒体処理装置内に固定するための取付け部１６ｂとを有し、受熱部１６ａと取付け部１６ｂとの間に両部位間での熱伝達を規制する熱遮断部１６ｃが形成された構成とした。【選択図】        図４
2006192779.tif 000002
【特許請求の範囲】
【請求項１】
画像をプリントされたシート状の記録媒体を非接触状態で加熱処理するヒータと、前記ヒータによって加熱中の前記記録媒体の温度をモニタするために前記記録媒体に隣接配置された温度モニタ手段とを備えた記録媒体処理装置であって、
前記温度モニタ手段が、感熱素子と、前記感熱素子を所定位置に支持する支持部材とを備え、
前記支持部材は、前記感熱素子が取り付けられた板状の受熱部と、前記支持部材を前記記録媒体処理装置内に固定するための取付け部とを有し、前記受熱部の周辺に前記取付け部との熱伝達を規制する熱遮断部を形成してある記録媒体処理装置。
【請求項２】
前記支持部材は、前記受熱部、前記取付け部、及び、前記受熱部を前記取付け部に連結する連結部を一体的に備えた一枚の板状の支持プレートからなり、前記支持プレートに前記受熱部を前記取付け部から離間させるスリットからなる熱遮断空間を前記熱遮断部として形成してある請求項１に記載の記録媒体処理装置。
【請求項３】
前記記録媒体を副走査方向に搬送する搬送機構を備え、前記ヒータは前記副走査方向と交差する方向に延設された棒状ヒータからなり、前記受熱部は前記記録媒体の搬送方向に沿って延びた帯状を呈している請求項１または２に記載の記録媒体処理装置。
【発明の詳細な説明】
【技術分野】
【０００１】
本発明は、画像をプリントされたシート状の記録媒体を非接触状態で加熱処理するヒータと、前記ヒータによって加熱中の記録媒体の温度をモニタするために記録媒体に隣接配置された温度モニタ手段とを備えた記録媒体処理装置に関する。
【背景技術】
【０００２】
この種の記録媒体処理装置としては、本発明に関連する先行技術文献情報として下記に示す特許文献１に記されたものがある。この特許文献１に記された記録媒体処理装置は、昇華性インクでプリントされたシート状の記録媒体が、ケース部材によって包囲された加熱部を搬送されることで、昇華性インクの成分が熱によって昇華されて記録媒体中の所定の層に定着されるように構成されている。加熱部には赤外線ヒータが記録媒体と対向配置され、記録媒体の温度をモニタする温度センサが記録媒体に隣接配置されている。
【０００３】
【特許文献１】特開２００３−２３７０５３号公報（段落番号００２４、図２）
【発明の開示】
【発明が解決しようとする課題】
【０００４】
ところで、特許文献１に記された記録媒体処理装置では、温度モニタ手段としての温度センサをどのように固定するか記されていないが、いずれにしろ何らかの支持構造で温度センサを加熱部内の所定の位置に固定する必要があるため、温度センサに対して、ヒータから放射される輻射熱の他に、ケース部材などの構成部材の保有する熱が支持構造を介して伝達されて、記録媒体の温度を正確にモニタできず、その結果、記録媒体の適切な熱処理が行われない虞があった。
【０００５】
したがって、本発明の目的は、上に例示した従来技術による記録媒体処理装置の持つ前述した欠点に鑑み、記録媒体の温度を正確にモニタでき、記録媒体に対してより適切な熱処理を施すことの可能な記録媒体処理装置を提供することにある。
【課題を解決するための手段】
【０００６】
本発明の第１の特徴構成は、画像をプリントされたシート状の記録媒体を非接触状態で加熱処理するヒータと、前記ヒータによって加熱中の前記記録媒体の温度をモニタするために前記記録媒体に隣接配置された温度モニタ手段とを備えた記録媒体処理装置であって、
前記温度モニタ手段が、感熱素子と、前記感熱素子を所定位置に支持する支持部材とを備え、
前記支持部材は、前記感熱素子が取り付けられた板状の受熱部と、前記支持部材を前記記録媒体処理装置内に固定するための取付け部とを有し、前記受熱部の周辺に前記取付け部との熱伝達を規制する熱遮断部を形成してある点にある。
【０００７】
したがって、本発明の第１の特徴構成による記録媒体処理装置では、感熱素子が取り付けられた板状の受熱部を金属などの熱良導体で構成し、受熱部の面積を適宜設定することで、ヒータから放射される熱に対する感熱素子の受熱感度を向上させ、且つ、温度モニタが温度をピックアップ可能な範囲を感熱素子の小さな面積から受熱部の面積にまで拡張することができる。また、受熱部を板状とすることで、例えばブロック状とするよりも温度モニタ手段の温度変化に対するレスポンスが良好になる。しかも、受熱部の周辺に取付け部との熱伝達を規制する熱遮断部を形成してあるので、支持部材を取り付けた記録媒体処理装置の任意の固定構造（装置内のフレーム構造等）からの熱が取付け部を介して感熱素子に伝わること、或いは、受熱部が受けた熱が取付け部に拡散することを抑制でき、温度のより正確なモニタが可能となる。温度の正確なモニタが可能な取付け位置としては、例えば、最大幅の記録媒体の搬送される領域に対して副走査方向に隣接した位置で、板状の受熱部がシート状の記録媒体の搬送面と平行な面内に来るような位置とすれば、受熱部がヒータから受ける被加熱条件が記録媒体と等しくなるので、温度モニタ手段が記録媒体の温度を良好にモニタできて都合が良い。尚、熱遮断部は空気の存在する空間で構成されても良いし、断熱部材で構成することも可能である。
【０００８】
本発明の第２の特徴構成は、前記支持部材が、前記受熱部、前記取付け部、及び、前記受熱部を前記取付け部に連結する連結部を一体的に備えた一枚の板状の支持プレートからなり、前記支持プレートに前記受熱部を前記取付け部から離間させるスリットからなる熱遮断空間を前記熱遮断部として形成してある点にある。
【０００９】
したがって、本発明の第２の特徴構成による記録媒体処理装置では、金属板などの熱良導体からなる一枚の板状部材の一部を、取付けネジ用の貫通孔などを配置可能な取付け部とし、受熱部として確保した部位を取付け部から熱的に遮断するスリットを形成すれば良いので、非常に少ない部品数で且つ安い制作費で温度モニタ手段を構成することができ、しかも、一枚物であるためにコンパクトで機械的強度の十分な温度モニタ手段が得られる。また、熱遮断空間として機能するスリットを形成することで、特別な材料を用いることなく有効な熱遮断部を構成することが可能になっている。
【００１０】
本発明の第３の特徴構成は、前記記録媒体を副走査方向に搬送する搬送機構を備え、前記ヒータは前記副走査方向と交差する方向に延設された棒状ヒータからなり、前記受熱部は前記記録媒体の搬送方向に沿って延びた帯状を呈している点にある。
【００１１】
したがって、本発明の第３の特徴構成による記録媒体処理装置では、棒状ヒータを連続駆動しながら、搬送機構によって記録媒体を副走査方向に搬送することで、任意の長さの記録媒体をその全面に渡って一定の均一な加熱条件で加熱処理することができる。しかも、受熱部は前記記録媒体の搬送方向に沿って延びた帯状を呈しているので、もしも取付精度などによって棒状ヒータの取付け角度が多少ずれていて、感熱素子が棒状ヒータの熱的な中心線から記録媒体の副走査方向に沿って変位していても、棒状ヒータによって得られる温度分布内のピーク温度を正確にモニタすることができる。その結果、棒状ヒータの取付け時に要求される寸法精度が比較的低いので、記録媒体処理装置の製造が容易となった。
【００１２】
本発明によるその他の特徴および利点は、以下図面を用いた実施形態の説明により明らかになるであろう。
【発明を実施するための最良の形態】
【００１３】
本発明の一つの実施形態としての記録媒体処理装置について以下に説明する。
（記録媒体処理装置の全体構成）
図１に示す記録媒体処理装置１は、シート状の記録媒体Ｍに昇華性の染料を含むインクで画像形成を施すプリンタＰと、プリンタＰから排出される記録媒体Ｍを加熱することによって染料を定着する加熱定着ユニットＦとからなる。
【００１４】
（記録媒体の構成）
記録媒体Ｍは、所定の剛性を備えたシート状の基材と、基材の上面に接着剤層等を介して密着貼付されたインク受容層とからなる。基材は、ＰＥＴ等の合成樹脂材料などで形成されたベースシートと、ベースシートの上面に一体的に設けられた耐候性の高い保護層とからなる。保護層は例えばフッ素樹脂などで形成されている。尚、保護層はプリンタＰでの画像形成で使用する水系インクとの親和性が低いが、インク受容層は、この水系インクとの親和性が十分に高い。
記録媒体Ｍは、後述するように、プリンタＰで昇華性の染料を含む水系インクによってインク受容層上に画像をプリントし、プリント後に加熱定着ユニットで加熱処理することで昇華性の染料を記録媒体Ｍの内部に昇華させて定着することを前提に設計されている。
【００１５】
（昇華性染料の定着について）
プリンタＰでは、昇華性の染料を含む水系のインクが、記録媒体Ｍのインク受容層の表面付近に常温で載置される。プリンタＰから排出された記録媒体Ｍを加熱定着ユニットＦで適切な加熱条件（約１８０℃）で加熱すると、受容層の表面付近に位置するインクから昇華性の染料が昇華して、受容層の内部に移動し、さらに、保護層を通過し、ベースシートと保護層の界面、乃至は、ベースシートの表面近くの内部まで到達して、ここに定着される。定着が完了すると、任意の時点で基材からインク受容層をシート状のまま容易に引き剥がすことができる。インク受容層を引き剥がした状態では、記録媒体Ｍの基材内に定着された染料は、表面からは耐候性の保護層によって、裏面からはベースシートによって保護され、同時に、少なくとも基材の上面側からは透明性の高い保護層を介して良く透視できる形になる。
【００１６】
（プリンタの構成）
プリンタＰは、ロール状に巻き取られた長尺の記録媒体Ｍを回転自在に支持する貯留部２を備えており、数組の搬送ローラ対からなる搬送機構３によって貯留部２から引き出されて、副走査方向に搬送される記録媒体Ｍに対して、前記副走査方向と直行する主走査方向に往復移動可能なインクジェット式のプリントヘッド４によって画像が形成される。また、プリントヘッド４には記録媒体Ｍを主走査方向に沿って切断するカッターＣが設けられている。
【００１７】
プリンタＰの下方には、プリンタＰから排出されたプリント済みの記録媒体Ｍを一旦、巻き芯Ｔ上にロール状に巻き取るための第１巻き取り装置Ｒ１が設けられている。図１と図２に示すように、第１巻き取り装置Ｒ１は、筒状の巻き芯Ｔと、巻き芯Ｔの両端の内面に嵌着される一対の支持コーン７と、支持コーン７を回転可能に支持する一対の支持ブラケット６とを備え、片方の支持コーン７の背面には、トルクレリーサと連結ギヤ等からなる伝導機構（不図示）を介してステッピングモータからなる駆動モータＥ１の出力軸が連結されている。記録媒体処理装置１に備えられた制御装置５０は、基本的に搬送機構３による搬送速度に応じて、駆動モータＥ１を回転駆動し、プリント済みの記録媒体Ｍが巻き芯Ｔ上に巻き取られて行く。
【００１８】
プリントヘッド４と第１巻き取り装置Ｒ１との間にはループ形成部Ｌが設けられている。ループ形成部Ｌは、記録媒体Ｍの弛み部を形成して保持することで、第１巻き取り装置Ｒ１から記録媒体Ｍに加えられる張力が、搬送機構３による搬送速度に影響を及ぼすことを防止する。ループ形成部Ｌは、記録媒体Ｍを圧着支持する一対の搬送ローラ５を備え、搬送ローラ５は、前記弛み部を形成した状態で記録媒体Ｍを圧着した後は、搬送機構３と連結された伝導機構（不図示）によって、基本的に搬送機構３と同期した搬送速度となるように回転駆動される。
【００１９】
（乾燥機構の構成）
プリントヘッド４とループ形成部Ｌの間には、記録媒体Ｍ上のインクを乾燥させる第１乾燥手段Ｄ１が設けられており、第１巻き取り装置Ｒ１の付近にも、記録媒体Ｍ上のインクを乾燥させる第２乾燥手段Ｄ２が設けられている。
第１乾燥手段Ｄ１と第２乾燥手段Ｄ２は、インク内の昇華性染料が昇華しない程度の温度条件（約５０〜４５℃）でインクを乾燥させることで、未乾燥のインクが搬送ローラ５の周面や後続する記録媒体Ｍ上の裏面に転写されるのを防止する役目を果たす。
【００２０】
第１乾燥手段Ｄ１は、記録媒体Ｍの幅方向に沿って配置された中赤外線ランプヒータＨ１と、中赤外線ランプヒータＨ１によって最も高温に加熱される記録媒体Ｍの部位の表面温度をモニタするためのターゲットＧ１（温度モニタ手段の一例）とを備えている。
図２に示すように、４基の中赤外線ランプヒータＨ１が、記録媒体Ｍの幅方向に沿って互いに重複部を有するように、且つ、最も幅の大きな記録媒体Ｍ（１，２７０ｍｍ）の通過域よりも更に両外側の領域までカバーするように千鳥状に配置されている。但し、中赤外線ランプヒータＨ１から記録媒体Ｍまでの距離は一定である。個々の中赤外線ランプヒータＨ１は、矩形容器状の筐体１２と、ガラス管１４によって包囲された状態で筐体内に記録媒体Ｍの搬送方向に沿って離間配置された一対の発熱体１３と、発熱体１３から放射される中赤外線を記録媒体Ｍの方向に集中させるための一対のリフレクタ１５とからなる。中赤外線ランプヒータＨ１の発熱体１３には、水の吸収帯によく適合した波長（２〜４μｍ）の中赤外線を放射するものが選択されている。尚、中赤外線ランプヒータの数や配置方法を適宜変更可能なことは言うまでもない。
【００２１】
ターゲットＧ１は、記録媒体Ｍの搬送方向下流側から見て、最も幅の大きな記録媒体Ｍの通過域よりも更に図２の左側に配置されており、また、中赤外線ランプヒータＨ１からのターゲットＧ１までの距離が、中赤外線ランプヒータＨ１から記録媒体Ｍまでの距離と略等しくなるように配置されている。ターゲットＧ１は、図３及び図４に例示するように、記録媒体Ｍと平行に配置されたステンレス鋼製の矩形の板材１６（支持部材の一例）と、板材１６の中央付近にネジ１８ａとナット１８ｂなどによって取り付けられたサーミスタ１７ａ（感熱素子の一例）とからなる。板材１６は、その矩形の長辺と平行に延びた２本のスリット１６ｃ（熱遮断空間および熱遮断部の一例）によって、矩形の中央付近に位置する帯状の受熱部１６ａと、矩形の左右に位置する取付け部１６ｂとに分割されている。サーミスタ１７ａは受熱部１６ａに密着固定されている。尚、サーミスタ１７ａの板材１６への取り付けはネジとナットによる方法の他に接着剤などを用いて実施しても良い。
【００２２】
ターゲットＧ１は、取付け部１６ｂ内の互いに対角線上に位置する２つのネジ孔１６ｄに挿通されるネジによってプリンタＰのフレームなどの一部に固定されている。そして、スリット１６ｃは、受熱部１６ａを取付け部１６ｂから熱的に遮断する役目、言い換えれば、取付け部１６ｂを介して前記フレームなどの熱がサーミスタ１７ａに伝わること、及びサーミスタ１７ａを含む受熱部１６ａの熱がフレームなどに拡散することを抑制する役目を果たす。ターゲットＧ１の熱遮断部は、サーミスタ１７ａの支持部材である板材１６の一部（受熱部１６ａを挟む２箇所）を細長く切り取ることによって形成されている。尚、ターゲットＧ１は、帯状の受熱部１６ａが、記録媒体Ｍの搬送方向に略沿って延びるように設置されている。
【００２３】
ところで、中赤外線ランプヒータＨ１の発光分布は、図３に示すように、ピーク域が記録媒体Ｍの副走査方向よりも下方に延びた広がりを有するので、もしも中赤外線ランプヒータＨ１の取付け角度が図３の矢印Ｊが示す方向でずれていると、サーミスタ１７ａの位置が中赤外線ランプヒータＨ１のピーク域或いは熱的な中心線から外れる結果になり易い。しかし、ターゲットＧ１の帯状の受熱部１６ａは、記録媒体Ｍの搬送方向に略沿って延びるように設置されているので、サーミスタ１７ａの取り付け角度が記録媒体Ｍの副走査方向に沿って多少変位していても、帯状の受熱部１６ａの任意の一部が中赤外線ランプヒータＨ１のピーク域内にあれば、中赤外線ランプヒータＨ１によって得られる温度分布内のピーク温度を正確にモニタすることができる。
図５に示すように、制御装置５０は、ターゲットＧ１の目標加熱温度を設定するための目標温度設定手段５１を有し、ターゲットＧ１に関しては、制御装置５０と接続されたキーボード（不図示）からオペレータなどが目標温度を設定できるように構成されている。ここでは、ターゲットＧ１の目標温度を５０℃に設定する。制御装置５０は、ターゲットＧ１のサーミスタ１７ａからの温度信号を入力しながら、サーミスタ１７ａの検出温度が５０℃となるように中赤外線ランプヒータＨ１に対する通電量を制御する。
【００２４】
ループ形成部Ｌと第１巻き取り装置Ｒ１との間に配置された第２乾燥手段Ｄ２も、基本的には前述の第１乾燥手段Ｄ１と同様の構成である。第２乾燥手段Ｄ２の中赤外線ランプヒータＨ２は、第１巻き取り装置Ｒ１で巻き芯Ｔ上に形成される記録媒体Ｍのロールの周面と対向するように固定配置されている。第２乾燥手段Ｄ２のターゲットＧ２（温度モニタ手段の一例）も、ターゲットＧ１と同じ構造を有し、最も幅の大きな記録媒体Ｍの通過域よりも更に左側に配置されている。但し、ターゲットＧ２は、帯状の受熱部１６ａが、巻き芯Ｔ上での巻き径が最小の時の記録媒体Ｍの搬送面内に位置するように、且つ、帯状の受熱部１６ａが中赤外線ランプヒータＨ２の延設方向と垂直に延びるように配置されている。個々の中赤外線ランプヒータＨ２の構造は、中赤外線ランプヒータＨ１と同じものが採用されている。
【００２５】
プリントの進行に伴って巻き芯Ｔ上でのロールの径が増大すると、それに連れて中赤外線ランプヒータＨ２から記録媒体Ｍまでの距離が小さくなるので、この距離の変化によって記録媒体Ｍの加熱条件が大きく変わらないように、巻き芯Ｔ上でのロールの径の増大に応じて、ターゲットＧ２の目標温度を低温側に自動的に設定変更するように構成されている。具体的な構成としては、図５に示すように、制御装置５０の目標温度設定手段５１は、ターゲットＧ２に関しては、巻き芯Ｔ上でのロールの径に基づいてターゲットＧ２の目標温度を設定変更するように構成されている。この目標温度設定手段５１は、第１巻き取り装置Ｒ１の駆動モータＥ１の回転パルス数に基づいてループ形成部Ｌの搬送ローラ５の延べ回転量を算出し、更にこの延べ回転量に基づいて巻き芯Ｔ上でのロールの径を算出するロール径算出手段５２と、ロールの径とその径に適した目標温度とを対応させたメモリ５０ａ内のＬＵＴ（ルックアップテーブル）５３とを有する。
【００２６】
制御装置５０は、ターゲットＧ２を目標温度設定手段５１が決定した温度とするように中赤外線ランプヒータＨ２を駆動制御する。すなわち、プリント開始初期など巻き芯Ｔ上のロールの径が最小の時には、ターゲットＧ２のサーミスタ１７ｂが初期目標温度（ここでは４５℃）となるように中赤外線ランプヒータＨ２を駆動制御する。そして、プリントが或る程度進行すると、目標温度設定手段５１は、駆動モータＥ１の回転パルス数に基づいて巻き径が中位であると判断し、ＬＵＴ５３を基に目標温度を４０℃に下げる。プリントがさらに進行し、中赤外線ランプヒータＨ２までの距離が最小に近づくと、目標温度設定手段５１は、駆動モータＥ１の回転パルス数から巻き径が最大値付近であると判断し、ＬＵＴ５３を基に目標温度を３５℃に設定変更する。このような制御装置５０による制御によって、巻き芯Ｔ上のロールの径の大小に関わらず、記録媒体Ｍの表面の温度は巻き芯Ｔに巻き取られる前の所定時間にわたってほぼ４５℃に保持される。
尚、第１乾燥手段Ｄ１とループ形成部Ｌの間には、Ａ４版などの小サイズの記録媒体Ｍを第１乾燥手段Ｄ１によって乾燥後の状態で取り出すための排出口Ｆが設けられている。
【００２７】
（加熱定着ユニットの構成）
図１に示すように、加熱定着ユニットＦの内部には、外部から断熱層（不図示）によって熱的に遮断された加熱領域Ｑが設けられている。加熱定着ユニットＦの内部には、後述する供給ユニットＳから提供される記録媒体Ｍを、加熱領域Ｑ内で搬送する搬送機構２０が設けられている。搬送機構２０は数組の耐熱性の搬送ローラ対２１によって構成されている。搬送機構２０によって搬送される記録媒体Ｍは、平坦な支持パネル２２の平滑な上面を滑りつつ移動する。
加熱領域Ｑ内には、加熱領域Ｑ内の空気を所定の昇華温度（ここでは約１８０℃）に加熱するための第１加熱機構が設けられている。第１加熱機構は、記録媒体Ｍの搬送面の上方で加熱領域Ｑの中央よりも上流寄りに配置された複数の棒状発熱体からなる発熱部２３、及び、加熱領域Ｑ内の温度分布を均一化するために加熱領域Ｑの中央よりも下流寄りに配置された攪拌用ファン２４を有する。加熱領域Ｑ内には、第１加熱機構とは別に、記録媒体Ｍを、主にその裏面側（ベースシート側）から、原則的に接触を介して昇華性インクを定着する第２加熱機構が設けられている。第２加熱機構は、支持パネル２２を下方から加熱する面状ヒータ（不図示）によって構成されており、支持パネル２２の上面は前記面状ヒータによって約１８０℃に保持される。
【００２８】
加熱領域Ｑの下流側に設けられた記録媒体Ｍの排出部は、急勾配の傾斜姿勢で下向きに延びた傾斜案内プレート２５と、記録媒体Ｍの表裏両面に圧着して搬送する第１排出ローラ対２６と、この第１排出ローラ対２６から送り出される記録媒体Ｍの向きを水平に近い方向に修正する偏向板２７と、この偏向板２７から押し出される記録媒体Ｍを略水平な方向に引き出す第２排出ローラ対２８とを備えている。傾斜案内プレート２５の表面は、裏面に配置された面状ヒータによって１００℃以下の温度に加熱されている。
加熱定着ユニットＦの上流側には、プリンタＰの第１巻き取り装置Ｒ１で巻き取られたプリント済みの記録媒体Ｍを加熱定着ユニットＦに供給するための供給ユニットＳが配置されている。供給ユニットＳは、第１巻き取り装置Ｒ１によって巻き取られた記録媒体Ｍのロールをセットするためのロール保持部３０と、ロールから巻き戻された記録媒体Ｍの部位を上下から挟着する供給ローラ対３５とを備えている。
【００２９】
ロール保持部３０は、筒状の巻き芯Ｔと、巻き芯Ｔの両端の内面に嵌着される一対の支持コーン３２と、支持コーン３２を回転可能に支持する一対の支持ブラケット３１とを備え、片方の支持コーン３２には、ロールの自由な回転を規制するフリクション機構３３が設けられている。ロール保持部３０の支持コーン３２は駆動モータには連結されていない。フリクション機構３３の空転トルク値は外部から手動で変更可能に設けられており、通常は、記録媒体Ｍに皺などの欠点が生じないように、記録媒体Ｍに加えられる引張り力が、加熱定着ユニットＦ内の搬送機構２０の有する搬送力の２０％以下となるように設定されている。
【００３０】
（第２巻き取り装置の構成）
加熱定着ユニットＦの下流側には、加熱定着ユニットＦから排出される定着済みの記録媒体Ｍを巻き取る第２巻き取り装置Ｒ２が配置されている。第２巻き取り装置Ｒ２は、第１巻き取り装置Ｒ１と同様に、筒状の巻き芯Ｔ′と、巻き芯Ｔ′の両端の内面に嵌着される一対の支持コーン３９と、支持コーン３９を回転可能に支持する一対の支持ブラケット３８とを備え、片方の支持コーン３９の背面には、トルクレリーサ４０と連結ギヤ（不図示）等からなる伝導機構を介して駆動モータＥ２の出力軸が連結されている。
トルクレリーサ４０の空転トルク値も外部から手動で変更可能に設けられているが、通常は、記録媒体Ｍに皺などの欠点が生じないように、第２巻き取り装置Ｒ２による記録媒体Ｍの引っ張り力が、加熱定着ユニットＦ内の搬送機構２０の有する搬送力の３０％以下となるように設定されている。
【００３１】
〔別実施形態〕
〈１〉ターゲットＧ１，Ｇ２の熱遮断部は、サーミスタ１７ａの支持部材である板材１６の一部（受熱部１６ａを挟む２箇所）を細長く切り取る方法によらず、図６に例示されるような形態で形成することも可能である。図６のターゲットＧ１０では、板状部材５１の一部を２本の線状に切断することで、受熱部５１ａと一対の縁部５１ｃとに分割し、受熱部５１ａと一対の縁部５１ｃとを、前後端の取付け部５１ｂに対して、谷折りと山折りが交互になるように折り曲げる加工を折り曲げ線５２に沿って行うことで、受熱部５１ａをネジ孔５１ｄ等が備えられた取付け部５１ｂ及び一対の縁部５１ｃに対して上下方向に離間させて形成し、受熱部５１ａの裏面にネジ１８とナット１８ｂによってサーミスタ１７ａを取り付けている。
【００３２】
〈２〉さらに、温度モニタ手段としてのターゲットを図７に例示するような形態で実施することも可能である。図７のターゲットＧ１１では、サーミスタ１７ａの支持部材である板材５４の中央部付近に、サーミスタ１７ａが取り付けられた円形の受熱部５４ａが配置されている。板材５４の周辺部は取付け部５４ｂとなっており、ターゲットＧ１１は取付け部５４ｂに備えられたネジ孔５４ｄを用いて取り付けられる。取付け部５４ｂと受熱部５４ａとの間（受熱部５４ａの周辺の一例）には、両部位間での熱伝達を規制するための環状の熱遮断空間５４ｃ（熱遮断部の一例）が形成されている。この円形の受熱部５４ａも温度モニタ手段の周辺温度変化に対するレスポンスを向上させる働きをする。
【００３３】
〈３〉或いは、温度モニタ手段としてのターゲットを図８に例示するような形態で実施することも可能である。図８のターゲットＧ１２では、サーミスタ１７ａの支持部材である板材６４は、サーミスタ１７ａが取り付けられた円形の受熱部６４ａと、矩形の取付け部６４ｂと、受熱部６４ａを取付け部６４ｂに連結する連結部６４ｅとが一体的に設けられた形態を有する。ターゲットＧ１２は、取付け部６４ｂに備えられたネジ孔６４ｄを用いて取り付けられる。連結部６４ｅは受熱部６４ａや取付け部６４ｂの半分以下の小さな断面積を有する。言い換えれば、受熱部６４ａと取付け部６４ｂの境界部は細く「くびれた」形状を有する。そのため、取付け部６４ｂと受熱部６４ａとの間には、両部位間での熱伝達を規制するための熱遮断空間６４ｃ（熱遮断部の一例）が形成されている。
【００３４】
〈４〉本発明による、感熱素子と、感熱素子を所定位置に支持する支持部材とを備え、支持部材は、感熱素子が取り付けられた板状の受熱部と、支持部材を記録媒体処理装置内に固定するための取付け部とを有し、受熱部と取付け部との間に両部位間での熱伝達を規制する熱遮断部を形成してある温度モニタ手段を、加熱定着ユニットＦの内部に昇華反応を進行させるために設ける加熱装置の一部として、加熱定着ユニットＦ内での記録媒体Ｍの温度をモニタするために用いることも可能である。
【産業上の利用可能性】
【００３５】
プリント済みの記録媒体を非接触状態で加熱処理するヒータを備えた記録媒体処理装置の技術であり、特に、記録媒体の温度を正確にモニタ可能なモニタ手段を備えた装置を提供可能な技術として利用される。
【図面の簡単な説明】
【００３６】
【図１】本発明によるプリンタを備えた記録媒体処理装置の概略斜視図
【図２】図１の記録媒体処理装置を構成するプリンタの概略斜視図
【図３】図２のプリンタに備えられたヒータとターゲットとを示す破断側面図
【図４】図３のターゲットを示す平面図
【図５】図２のプリンタに関連する制御装置の説明図
【図６】ターゲットの別実施形態を示す斜視図
【図７】ターゲットのもう一つの実施形態を示す斜視図
【図８】ターゲットのさらに別の実施形態を示す斜視図
【符号の説明】
【００３７】
Ｍ  記録媒体
Ｐ  プリンタ
４  プリントヘッド
Ｄ１、Ｄ２  第１及び第２乾燥手段
Ｒ１、Ｒ２  第１及び第２巻き取り部
Ｈ１、Ｈ２  中赤外線ランプヒータ（棒状ヒータ）
Ｇ１、Ｇ２  ターゲット
１６  板材（支持部材）
１６ａ  受熱部
１６ｂ  取付け部
１６ｃ  スリット（熱遮断空間、熱遮断部）
１７ａ  サーミスタ（感熱素子）
５０  制御装置
５０ａ  メモリ
５１  目標温度設定手段
５２  ロール径算出手段
５３  ＬＵＴ
Ｆ  加熱定着ユニット
【図１】
2006192779.tif 000003
【図２】
2006192779.tif 000004
【図３】
2006192779.tif 000005
【図４】
2006192779.tif 000006
【図５】
2006192779.tif 000007
【図６】
2006192779.tif 000008
【図７】
2006192779.tif 000009
【図８】
2006192779.tif 000010